(57)【要約】【課題】  ジョグダイヤル等の操作時に、ユーザに良好な操作感を与え、ユーザによる操作と実際の操作感とのタイムラグを略々無くすことを可能にする。【解決手段】  Ａ相ホールＩＣ３Ａ及びＢ相ホールＩＣ３Ｂは、ジョグダイヤル１の回転キー２の回転動作を検出する。ＬＥＤは、制御回路部５から供給された駆動信号ＳＤＬにより発光することで、ユーザに対して視覚的な刺激を与えることが可能となされている。制御回路部５は、Ａ相ホールＩＣ３Ａ及びＢ相ホールＩＣ３Ｂからの信号波形からパルス信号ＳＡ，ＳＢを生成し、さらにそれらパルス信号ＳＡ，ＳＢをロジックゲートにて論理演算することにより、ＬＥＤ６を発光させるための駆動信号ＳＤＬを生成する。【選択図】  図１
2008287650.tif 000002
【特許請求の範囲】
【請求項１】
回転操作子を備えた操作手段と、
上記操作手段の回転操作子の回転動作を検出して回転検出信号波形を出力する回転検出手段と、
供給された駆動信号により駆動されることでユーザに対して視覚的若しくは触覚的な刺激を与える能動素子と、
上記回転検出手段が上記回転操作子の回転動作を検出して出力した回転検出信号波形の論理演算により、上記能動素子を駆動するための駆動信号を生成する駆動信号生成回路部とを有する、
ことを特徴とする入力装置。
【請求項２】
上記能動素子は複数設けられ、
上記駆動信号生成回路部は、上記複数の能動素子を個々に駆動するための駆動信号を生成することを特徴とする請求項１記載の入力装置。
【請求項３】
上記複数の能動素子は、上記回転操作子の正，逆両回転方向に対応した位置に配される少なくとも二つの能動素子からなり、
上記駆動信号生成回路部は、上記回転検出信号波形の論理演算により、上記回転操作子の回転方向に対応した位置に配された能動素子を駆動するための駆動信号を生成することを特徴とする請求項２記載の入力装置。
【請求項４】
上記駆動信号生成回路部は、上記回転検出信号波形の論理演算により、上記能動素子を駆動すると共に当該能動素子がユーザに与える刺激の量若しくは性質を調整するための駆動信号を生成することを特徴とする請求項１記載の入力装置。
【請求項５】
上記能動素子は、上記駆動信号により発光する発光素子からなることを特徴とする請求項１記載の入力装置。
【請求項６】
上記能動素子は、上記駆動信号により振動する振動素子からなることを特徴とする請求項１記載の入力装置。
【請求項７】
少なくとも回転操作子を備えた携帯端末であって、
上記回転操作子の回転動作を検出して回転検出信号波形を出力する回転検出手段と、
供給された駆動信号により駆動されることでユーザに対して視覚的若しくは触覚的な刺激を与える能動素子と、
上記回転検出手段が上記回転操作子の回転動作を検出して出力した回転検出信号波形の論理演算により、上記能動素子を駆動するための駆動信号を生成する駆動信号生成回路部とを有する、
ことを特徴とする携帯端末。
【発明の詳細な説明】
【技術分野】
【０００１】
本発明は、ユーザにより操作される操作デバイスとして例えばいわゆるジョグダイヤルの回転キー等を備えた入力装置と、その入力装置を有する携帯電話端末等の携帯端末に関する。
【背景技術】
【０００２】
従来より、携帯電話端末等の電子機器には、複雑な入力操作を迅速且つ容易に行えるようにするための操作デバイスとして、例えば回転キーとその回転キーの回転を検出するためのロータリーエンコーダ等を備えた操作デバイスを搭載しているものがある。なお、回転キーとロータリーエンコーダを備えた操作デバイスとしては、例えばいわゆるジョグダイヤルが知られている。
【０００３】
ここで、ジョグダイヤル等の操作デバイスでは、回転キーをどれだけ回したのかをユーザが認識できるようにするために、回転軸を中心として回転キーを数十度回転させる毎にユーザの指にクリック感（ユーザが回転を認識するための操作感）を与えるための機構が設けられている。
【０００４】
ユーザに操作感を与えるための機構、特にクリック感を与えるための機構としては、従来より、回転軸回りの数十度おきに突起部を設けると共に、回転キーが回転した時にそれら各突起部に接触するバネ部材を設け、回転キーの回転に伴って上記突起部とバネ部材とが接触することで発生する力を、ユーザの指にクリック感として伝えるようになされた機構が知られている。
【０００５】
また、他の構成例として、回転軸回りの数十度おきに磁石のＮ極とＳ極を交互に配置する一方で、回転キーが回転した時にそれらＮ極とＳ極の磁石に近づくように、Ｎ極若しくはＳ極の何れか一方のみを対向させた磁石を設け、回転キーの回転に伴って両磁石の同極が近接して反発力が発生した時若しくは異極が近接して吸引力が発生した時に、それら反発力若しくは吸引力をユーザの指にクリック感として伝えるようになされた機構も知られている。
【０００６】
また、複雑な入力操作を迅速且つ容易に行えることを可能にした操作デバイスの他の例として、特開２００３−３３７６４９号の公開特許公報（特許文献１）には、例えばいわゆるディスク型ジョグダイヤルのダイヤル部分（回転ディスク部分）と略々同じ形状に接触検出センサの電極を配列させ、例えばユーザの指等によるダイヤル回転操作のような操作がなされた時に、その回転操作を上記接触検出センサにより検出可能にすると共に、その回転操作を接触検出センサにより検出した場合には、当該接触検出センサの近傍に設けた振動子を振動させることにより、ジョグダイヤルのクリック感に似た感触をユーザに与えるようにした入力方法及び入力装置が開示されている。なお、この特許文献１の場合、ユーザの指等による回転操作がなされたか否かについては、当該入力装置の制御を行うためのコントローラが、上記接触検出センサからの検出出力を基に判断しており、また、当該コントローラは、その検出出力を基に上記振動子を振動させるための駆動制御を行っている。
【０００７】
また、特開２００４−２５２８３６号の公開特許公報（特許文献２）には、例えばいわゆるドラム型のジョグダイヤルのダイヤル部分（回転ドラム部分）と略々同じ形状（つまり円筒形状）に接触検出センサの電極を配置し、例えばユーザの指等によるドラム回転操作のような操作がなされた時に、その回転操作を上記接触検出センサにより検出可能にすると共に、その回転操作を接触検出センサにより検出した際には、当該接触検出センサの近傍に設けた振動子を振動させることにより、ジョグダイヤルの操作時と同様な操作感をユーザに与えるようにした入力装置、携帯型電子機器及び携帯型電子機器の入力方法が開示されている。なお、この特許文献２においても特許文献１の場合と同様に、ユーザの指等による回転操作がなされたか否かについては、当該入力装置の制御を行うためのプロセッサが、上記接触検出センサからの検出出力を基に判断しており、また、当該プロセッサは、その検出出力を基に上記振動子を振動させるための駆動制御を行っている。
【０００８】
【特許文献１】特開２００３−３３７６４９号公報（図１）
【特許文献２】特開２００４−２５２８３６号公報（図５、図６）
【発明の開示】
【発明が解決しようとする課題】
【０００９】
ところで、回転キーを備えたジョグダイヤルのような操作デバイスにおいて、回転キーを操作した時の操作感をユーザに与えるための機構として、前述したような突起部とバネ部材を組み合わせた構造の場合、例えば回転機構部に塵等が侵入すると、その塵等により例えば突起部やバネ部材等が破損したりして、操作デバイスが故障してしまうことがある。また、携帯電話端末等の電子機器の小型化及び薄型化を目指す場合、回転キーを備えた操作デバイスについても、より小型化及び薄型化することが求められることになる。しかしながら、操作デバイスを小型化及び薄型化した場合には、上述の突起部やバネ部材を設けることが難しくなる可能性が高い。
【００１０】
一方、上記磁石を用いた構造の場合は、例えば回転機構部に塵等が侵入した場合でも操作デバイスの破損や故障が起こる可能性は低くなる。但し、磁力（磁石の反発力）により操作感を持たせているため、上述した突起部とバネ部材を組み合わせた機構よりも操作感が多少不自然（つまりクリック感が不自然）になり易い。また、操作デバイスを小型化及び薄型化するために上記磁石を小型のものにしたとすると、それに伴って磁力（反発力）も小さくなる可能性があり、その場合、ユーザにとって操作感が分かり難くなってしまう虞がある。
【００１１】
これに対し、上述の特許文献１や特許文献２に記載の技術によれば、ユーザはジョグダイヤルと略々同じ操作感を得ることができ、一方、操作デバイスからは回転キー（回転ダイヤル部や回転ドラム部）そのものが無くなるため、破損や故障のリスクも減り、小型化及び薄型化についても実現し易くなる。
【００１２】
しかしながら、特許文献１や特許文献２に記載の技術の場合、ユーザの指等による回転操作がなされたか否かの判断や、接触検出センサからの検出出力を基に振動子を振動させるための駆動制御を、コントローラやプロセッサなどがプログラムに基づいて実行しているため、ユーザによる回転操作のタイミングと実際に振動子が振動するまでのタイミングとの間に、或る程度のタイムラグが生じてしまう可能性があり、その場合、ユーザは極僅かではあるが違和感を感じてしまう可能性がある。さらに、特許文献１や特許文献２に記載の技術の場合、ジョグダイヤルのダイヤル部分は実際には回転せずに固定された部材となされているため、ユーザは実際にジョグダイヤルのダイヤル部分を回転させるような操作感を得ることが出来ない。
【００１３】
本発明は、このような実情に鑑みて提案されたものであり、複雑な入力操作を迅速且つ容易に行える操作デバイスとして、例えばいわゆるジョグダイヤル等のような回転キーを備えた操作デバイスを用いた場合において、例えば電子機器の小型化及び薄型化に伴って操作デバイスを小型化及び薄型化した場合であっても、ユーザに対して良好な操作感を与えることができ、また、ユーザによる回転操作と実際の操作感とのタイムラグを略々無くすことを可能とする入力装置及びその入力装置を備えた携帯端末に関する。
【課題を解決するための手段】
【００１４】
本発明の入力装置は、回転操作子を備えた操作手段と、操作手段の回転操作子の回転動作を検出して回転検出信号波形を出力する回転検出手段と、供給された駆動信号により駆動されることでユーザに対して視覚的若しくは触覚的な刺激を与える能動素子と、回転検出手段が回転操作子の回転動作を検出して出力した回転検出信号波形の論理演算により、能動素子を駆動するための駆動信号を生成する駆動信号生成回路部とを有することにより、上述した課題を解決する。
【００１５】
また、本発明の携帯端末は、少なくとも回転操作子を備えた携帯端末であり、回転操作子の回転動作を検出して回転検出信号波形を出力する回転検出手段と、供給された駆動信号により駆動されることでユーザに対して視覚的若しくは触覚的な刺激を与える能動素子と、回転検出手段が回転操作子の回転動作を検出して出力した回転検出信号波形の論理演算により、能動素子を駆動するための駆動信号を生成する駆動信号生成回路部とを有することにより、上述した課題を解決する。
【００１６】
すなわち、本発明によれば、回転操作子の回転動作により形成された回転検出信号波形の論理演算により、能動素子用の駆動信号を生成しているため、ユーザによる回転操作とそれに応じた駆動信号の生成との間には殆どタイムラグがない。
【００１７】
また、本発明によれば、能動素子を駆動信号により能動素子を駆動することで、ユーザに対して視覚的若しくは触覚的な刺激を与えるようにしている。
【発明の効果】
【００１８】
本発明においては、複雑な入力操作を迅速且つ容易に行える操作デバイスとして、例えばいわゆるジョグダイヤル等のような回転操作子を備えた操作手段を用いたような場合に、機器の小型化及び薄型化に伴って操作デバイスを小型化及び薄型化した場合であっても、回転操作子の回転操作に応じて能動素子を駆動して、ユーザに視覚的若しくは触覚的な刺激を与えることにより、ユーザに対して良好な操作感を与えることができる。また、本発明においては、回転操作子の回転動作により形成された回転検出信号波形の論理演算により、能動素子用の駆動信号を生成しているため、ユーザによる回転操作と実際の操作感とのタイムラグを略々無くすことができる。
【発明を実施するための最良の形態】
【００１９】
以下、図面を参照しながら、本発明の実施形態について説明する。
【００２０】
なお、本実施形態では、本発明の入力装置に適用される一実施形態の操作デバイスの一例として、回転キーとロータリーエンコーダを備えたジョグダイヤルを挙げ、また、本発明の携帯端末の一実施形態として携帯端末を挙げている。また、本実施形態では、ドラム型の回転キーを備えたジョグダイヤルを例に挙げているが、ディスク型の回転キーを備えたジョグダイヤルであっても良い。勿論、ここで説明する内容はあくまで一例であり、本発明はこの例に限定されないことは言うまでもない。
【００２１】
〔第１の実施形態〕
図１には、本発明の第１の実施形態の携帯電話端末の主要部の概略構成を示す。
【００２２】
第１の実施形態の携帯電話端末は、主要部の構成として、回転キー２を備えたジョグダイヤル１と、発光素子であるＬＥＤ（発光ダイオード）６と、ジョグダイヤル１の回転キー２の回転動作に基づいて上記ＬＥＤ６を駆動制御する制御回路部５とを備えている。
【００２３】
ジョグダイヤル１は、回転キー２と、Ａ相ホールＩＣ３Ａ及びＢ相ホールＩＣ３Ｂと、回転キー固定用磁石４とを有する。
【００２４】
上記回転キー２は、ユーザにより回転操作される回転操作子であり、その回転軸回りの数十度おきに磁石のＮ極とＳ極が交互に配置されて構成されている。
【００２５】
上記回転キー固定用磁石４は、Ｎ極若しくはＳ極の何れか一方を上記回転キー２側に対向配置した磁石であり、回転キー２の非回転時には磁力の吸引力により上記回転キー２が不用意に回転してしまうことを防止し、一方、回転キー２の回転動作時には磁石の同極が近接することによる反発力若しくは異極が近接することによる吸引力により、上記回転キー２を回転動作させているユーザの指に擬似的なクリック感を与えるために設けられている。
【００２６】
上記Ａ相ホールＩＣ３Ａ及びＢ相ホールＩＣ３Ｂは、回転キー２の回転検出用に設けられ、磁石の磁界を電気信号に変換する磁気センサであり、上記磁石を備えた回転キー２が回転した時に、その回転動作による磁界の変化に対応した電気波形信号を生成して出力する。
【００２７】
それらＡ相ホールＩＣ３Ａから出力される電気波形信号（以下Ａ相信号と表記する。）と、Ｂ相ホールＩＣ３Ｂから出力される電気波形信号（以下Ｂ相信号と表記する。）は、共に制御回路部５へ送られる。
【００２８】
制御回路部５は、Ａ相信号入力部１１Ａ及びＢ相信号入力部１１Ｂと、連動信号生成部１３と、駆動部１４とを有する。
【００２９】
Ａ相信号入力部１１Ａは、アナログ波形信号であるＡ相信号をパルス信号ＳＡに変換して連動信号生成部１３へ出力し、同様に、Ｂ相信号入力部１１Ｂは、アナログ波形信号であるＢ相信号をパルス信号ＳＢに変換して連動信号生成部１３へ出力する。
【００３０】
連動信号生成部１３は、Ａ相パルス信号ＳＡとＢ相パルス信号ＳＢから、回転キー２の回転動作とＬＥＤ６の発光動作とを連動させるための連動信号ＳＣを生成し、その連動信号を駆動部１４へ出力する。
【００３１】
駆動部１４は、上記連動信号ＳＣに基づいてＬＥＤ６を発光駆動させるための駆動信号ＳＤＬを生成し、その駆動信号ＳＤＬをＬＥＤ６へ出力する。
【００３２】
また、当該制御回路５を構成しているＡ相信号入力部１１Ａ及びＢ相信号入力部１１Ｂ、連動信号生成部１３、駆動部１４は、主にロジック回路とそれらの周辺回路素子により構成されている。
【００３３】
ＬＥＤ６にはＬＥＤ点灯用電源７が接続されており、当該ＬＥＤ６は、上記駆動部１４からの駆動信号ＳＤＬにより点灯発光することで、ユーザに対して視覚的な刺激を与える能動素子である。
【００３４】
この図１に示した第１の実施形態の構成によれば、回転キー２に設けられた磁石と回転キー固定用磁石４により、ジョグダイヤル１の回転キー２を回転させた際のクリック感をユーザに与えることができると同時に、回転キー２の回転動作に連動してＬＥＤ６が点灯することにより、ユーザに対して視覚的で直感的な操作感を与えることが可能となっている。
【００３５】
また、本実施形態では、ジョグダイヤル１の回転キー２の回転動作をＡ相ホールＩＣ３Ａ及びＢ相ホールＩＣ３Ｂにより検出したＡ相信号及びＢ相信号を、制御回路部５のロジック回路及びその周辺回路素子を通じてＬＥＤ６の点灯用駆動信号に変換しているため、ユーザによる回転キー２の回転操作とＬＥＤ６の点灯による操作感との間に全くタイムラグがない。
【００３６】
〔第２の実施形態〕
図２には、本発明の第２の実施形態の携帯電話端末の主要部の概略構成を示す。なお、図２において、図１に示した各構成要素と実質的に同一の機能を有する構成要素には、図１と同じ指示符号を付している。
【００３７】
第２の実施形態の携帯電話端末は、主要部の構成として、回転キー２を備えたジョグダイヤル１と、振動素子８と、ジョグダイヤル１の回転キー２の回転動作に基づいて上記振動素子８を駆動制御する制御回路部５とを備えている。ジョグダイヤル１は、図１と同じものであるため、その説明については省略する。
【００３８】
制御回路部５は、Ａ相信号入力部１１Ａ及びＢ相信号入力部１１Ｂと、連動信号生成部１３と、駆動部１４とを有する。Ａ相信号入力部１１Ａ及びＢ相信号入力部１１Ｂと、連動信号生成部１３は、図１と同じものであるため、その説明については省略する。
【００３９】
この第２の実施形態において、駆動部１５は、連動信号生成部１３からの連動信号ＳＣに基づいて、振動素子８を振動させるための駆動信号ＳＤＢを生成し、その駆動信号ＳＤＢを振動素子８へ出力する。
【００４０】
振動素子８は、例えばピエゾ振動子などの圧電素子からなり、ユーザに対して触覚的な刺激を与える能動素子である。振動素子８には振動素子用電源９が接続されており、当該振動素子８は、上記駆動部１５からの駆動信号ＳＤＢにより振動駆動される。
【００４１】
この図２に示した第２の実施形態の構成によれば、ジョグダイヤル１の回転キー２を回転させた際に、当該回転キー２に設けられた磁石と回転キー固定用磁石４による擬似的なクリック感をユーザに与えることができると同時に、回転キー２の回転動作に連動して振動素子８が振動することにより、ユーザに対して触覚的で直感的な操作感を与えることが可能となっている。
【００４２】
なお、この第２の実施形態においても第１の実施形態と同様に、制御回路部５はロジック回路及びその周辺回路素子により構成されているため、ユーザによる回転キー２の回転操作と振動素子８の振動による操作感との間に全くタイムラグがない。
【００４３】
〔第１，第２の実施形態の連動信号生成部の構成〕
図３には、上述した第１，第２の実施形態における制御回路部５内の連動信号生成部１３の概略構成例を示す。
【００４４】
図３において、端子３０ＡにはＡ相信号入力部１１ＡからのＡ相パルス信号ＳＡが供給され、端子３０ＢにはＢ相信号入力部１１ＢからのＢ相パルス信号ＳＢが供給される。それら端子３０Ａと端子３０Ｂに供給されたＡ相パルス信号ＳＡとＢ相パルス信号ＳＢはパルス生成部３１へ送られる。
【００４５】
パルス生成部３１は、ロジックゲートにより構成され、上記Ａ相パルス信号ＳＡとＢ相パルス信号ＳＢの論理積をとって連動信号ＳＣのパルス信号を生成する。そして当該連動信号ＳＣは端子３２から後段の駆動部１４へ送られることになる。
【００４６】
〔第１，第２の実施形態の回転キー正回転時連動信号タイミングチャート〕
図４には、上述した第１，第２の実施形態において、回転キー２が正回転した際の連動信号のタイミングチャートを示す。
【００４７】
本実施形態において、回転キー２が正回転した場合には、先ず始めに上記Ａ相パルス信号ＳＡが立ち上がり、その後Ｂ相パルス信号ＳＢが立ち上がる。なお、ここでは図示及びその詳細な説明については省略しているが、本実施形態の携帯電話端末は、このようにＡ相パルス信号ＳＡの立ち上がりがＢ相パルス信号ＳＢの立ち上がりよりも先である場合、回転キー２が正回転したと認識可能となされている。
【００４８】
そして、上述のように、始めに上記Ａ相パルス信号ＳＡが立ち上がり、次いでＢ相パルス信号ＳＢが立ち上がる場合、パルス生成部３１は、それら両パルス信号ＳＡ，ＳＢの論理積をとって連動信号ＳＣを生成する。すなわちこの場合の連動信号ＳＣは、上記Ａ相パルス信号ＳＡが立ち上がった後、当該Ａ相パルス信号ＳＡの“Ｈ”レベル（“１”）が続いている状態でＢ相パルス信号ＳＢが立ち上がった時に、それと同時に立ち上がり、その後、Ａ相パルス信号ＳＡが立ち下がった時（Ｂ相パルス信号ＳＢの“Ｈ”レベル（“１”）が続いている状態であっても）に、それと同時に立ち下がるようなパルス信号となる。以降、回転キー２の正回転が続いた場合に上述のようなパルス信号の生成処理が繰り返されることになる。
【００４９】
〔第１，第２の実施形態の回転キー逆回転時連動信号タイミングチャート〕
図５には、回転キー２が逆回転した際の連動信号のタイミングチャートを示す。
【００５０】
本実施形態において、回転キー２が逆回転した場合には、先ず始めに上記Ｂ相パルス信号ＳＢが立ち上がり、その後Ａ相パルス信号ＳＡが立ち上がる。なお、ここでは図示及びその詳細な説明については省略しているが、本実施形態の携帯電話端末は、このようにＢ相パルス信号ＳＢの立ち上がりがＡ相パルス信号ＳＡの立ち上がりよりも先である場合、回転キー２が逆回転したと認識可能となされている。
【００５１】
そして、上述のように、始めに上記Ｂ相パルス信号ＳＢが立ち上がり、次いでＡ相パルス信号ＳＡが立ち上がる場合、パルス生成部３１は、それら両パルス信号ＳＡ，ＳＢの論理積をとって連動信号ＳＣを生成する。すなわちこの場合の連動信号ＳＣは、上記Ｂ相パルス信号ＳＢが立ち上がった後、当該Ｂ相パルス信号ＳＢの“Ｈ”レベル（“１”）が続いている状態でＡ相パルス信号ＳＡが立ち上がった時に、それと同時に立ち上がり、その後、Ｂ相パルス信号ＳＢが立ち下がった時（Ａ相パルス信号ＳＡの“Ｈ”レベル（“１”）が続いている状態であっても）に、それと同時に立ち下がるようなパルス信号となる。以降、回転キー２の逆回転が続いた場合に上述のようなパルス信号の生成処理が繰り返されることになる。
【００５２】
〔第３の実施形態〕
図６には、本発明の第３の実施形態の携帯電話端末の主要部の概略構成を示す。なお、図６において、図１に示した第１の実施形態の各構成要素と実質的に同一の機能を有する構成要素には、図１と同じ指示符号を付している。
【００５３】
第３の実施形態の携帯電話端末は、主要部の構成として、回転キー２を備えたジョグダイヤル１と、第１，第２の二つのＬＥＤ６ａ，６ｂと、ジョグダイヤル１の回転キー２の回転動作に基づいて上記第１，第２の二つのＬＥＤ６ａ，６ｂを駆動制御する制御回路部５とを備えている。ジョグダイヤル１は、図１と同じものであるため、その説明については省略する。
【００５４】
制御回路部５は、Ａ相信号入力部１１Ａ及びＢ相信号入力部１１Ｂと、連動信号生成部１６と、駆動部１７とを有する。Ａ相信号入力部１１Ａ及びＢ相信号入力部１１Ｂは図１と同じものであるため、その説明については省略する。
【００５５】
この第３の実施形態において、連動信号生成部１６は、Ａ相パルス信号ＳＡとＢ相パルス信号ＳＢから、回転キー２の回転動作と第１のＬＥＤ６ａの発光動作とを連動させるための第１の連動信号ＳＣ１と、回転キー２の回転動作と第２のＬＥＤ６ｂの発光動作とを連動させるための第２の連動信号ＳＣ２とを生成し、それら第１，第２の連動信号ＳＣ１，ＳＣ２を駆動部１７へ出力する。
【００５６】
駆動部１７は、上記第１の連動信号ＳＣ１に基づいて、第１のＬＥＤ６ａを発光駆動させるための駆動信号ＳＤＬ１を生成し、その駆動信号ＳＤＬ１を第１のＬＥＤ６ａへ出力すると共に、上記第２の連動信号ＳＣ２に基づいて、第２のＬＥＤ６ｂを発光駆動させるための駆動信号ＳＤＬ２を生成し、その駆動信号ＳＤＬ２を第２のＬＥＤ６ｂへ出力する。
【００５７】
なお、当該制御回路５を構成しているＡ相信号入力部１１Ａ及びＢ相信号入力部１１Ｂ、連動信号生成部１６、駆動部１７は、主にロジック回路とそれらの周辺回路素子により構成されている。
【００５８】
第１，第２のＬＥＤ６ａ，６ｂには、それぞれＬＥＤ点灯用電源７が接続されており、当該第１のＬＥＤ６ａは、上記駆動部１７からの第１の駆動信号ＳＤＬ１により点灯発光し、一方、第２のＬＥＤ６ｂは、上記駆動部１７からの第２の駆動信号ＳＤＬ２により点灯発光する。
【００５９】
この図６に示した第３の実施形態の構成によれば、回転キー２に設けられた磁石と回転キー固定用磁石４により、ジョグダイヤル１の回転キー２を回転させた際のクリック感をユーザに与えることができると同時に、回転キー２の回転動作に連動して第１，第２のＬＥＤ６ａ，６ｂが点灯することにより、ユーザに対して視覚的で直感的な操作感を与えることが可能となっている。
【００６０】
また、本実施形態では、ジョグダイヤル１の回転キー２の回転動作をＡ相ホールＩＣ３Ａ及びＢ相ホールＩＣ３Ｂにより検出したＡ相信号及びＢ相信号を、制御回路部５のロジック回路及びその周辺回路素子を通じて第１，第２のＬＥＤ６ａ，６ｂの点灯用駆動信号に変換しているため、ユーザによる回転キー２の回転操作と第１，第２のＬＥＤ６ａ，６ｂの点灯による操作感との間に全くタイムラグがない。
【００６１】
〔第４の実施形態〕
図７には、本発明の第４の実施形態の携帯電話端末の主要部の概略構成を示す。なお、図７において、図２に示した第２の実施形態や図６に示した第３の実施形態の各構成要素と実質的に同一の機能を有する構成要素には、図２や図６と同じ指示符号を付している。
【００６２】
第４の実施形態の携帯電話端末は、主要部の構成として、回転キー２を備えたジョグダイヤル１と、第１，第２の二つの振動素子８ａ，８ｂと、ジョグダイヤル１の回転キー２の回転動作に基づいて上記第１，第２の二つの振動素子８ａ，８ｂを駆動制御する制御回路部５とを備えている。
【００６３】
制御回路部５は、Ａ相信号入力部１１Ａ及びＢ相信号入力部１１Ｂと、連動信号生成部１６と、駆動部１８とを有する。なお、連動信号生成部１６は、図６と同じものであるため、その説明については省略する。
【００６４】
この第４の実施形態において、駆動部１８は、連動信号生成部１６からの第１，第２の連動信号ＳＣ１，ＳＣ２に基づいて、第１の振動素子８ａを振動させるための第１の駆動信号ＳＤＢ１を生成し、その駆動信号ＳＤＢ１を振動素子８ａへ出力すると共に、上記第２の連動信号ＳＣ２に基づいて、第２の振動素子８ｂを振動させるための第２の駆動信号ＳＤＢ２を生成し、その駆動信号ＳＤＢ２を第２の振動素子８ｂへ出力する。
【００６５】
なお、当該制御回路５を構成しているＡ相信号入力部１１Ａ及びＢ相信号入力部１１Ｂ、連動信号生成部１６、駆動部１８は、主にロジック回路とそれらの周辺回路素子により構成されている。
【００６６】
第１，第２の振動素子８ａ，８ｂは、それぞれ例えばピエゾ振動子などの圧電素子からなり、また第１，第２の振動素子８ａ，８ｂには振動素子用電源９が接続されている。そして、第１の振動素子８ａは、上記駆動部１８からの第１の駆動信号ＳＤＢ１により振動駆動され、一方、第２の振動素子８ｂは、上記駆動部１８からの第２の駆動信号ＳＤＢ２により振動駆動される。
【００６７】
この図７に示した第４の実施形態の構成によれば、ジョグダイヤル１の回転キー２を回転させた際に、当該回転キー２に設けられた磁石と回転キー固定用磁石４による擬似的なクリック感をユーザに与えることができると同時に、回転キー２の回転動作に連動して第１，第２の振動素子８ａ，８ｂが振動することにより、ユーザに対して触覚的で直感的な操作感を与えることが可能となっている。
【００６８】
なお、この第４の実施形態においても第２の実施形態と同様に、制御回路部５はロジック回路及びその周辺回路素子により構成されているため、ユーザによる回転キー２の回転操作と第１，第２の振動素子８ａ，８ｂの振動による操作感との間に全くタイムラグがない。
【００６９】
〔第３，第４の実施形態の連動信号生成部の構成〕
図８には、上述した第３，第４の実施形態における制御回路部５内の連動信号生成部１６の概略構成例を示す。
【００７０】
図８において、端子３０ＡにはＡ相信号入力部１１ＡからのＡ相パルス信号ＳＡが供給され、端子３０ＢにはＢ相信号入力部１１ＢからのＢ相パルス信号ＳＢが供給される。それら端子３０Ａと端子３０Ｂに供給されたＡ相パルス信号ＳＡとＢ相パルス信号ＳＢは、それぞれエッジ検出部３３と、第１のパルス生成部４１及び第２のパルス生成分４２へ送られる。
【００７１】
エッジ検出部３３は、Ａ相パルス信号ＳＡの立ち上がりエッジとＢ相パルス信号ＳＢの立ち上がりエッジを検出し、それらＡ相パルス信号ＳＡの立ち上がりエッジとＢ相パルス信号ＳＢの立ち上がりエッジの何れが先に入力されたかに応じた選択信号ＳＳを生成する。本実施形態の場合、エッジ検出部３３は、Ａ相パルス信号ＳＡの立ち上がりエッジを先に検出した場合には“Ｌ”レベル（“０”）となり、一方、Ｂ相パルス信号ＳＢの立ち上がりエッジを先に検出した場合には“Ｈ”レベル（“１”）となる選択信号ＳＳを出力する。このエッジ検出部３３から出力される選択信号ＳＳは共に、第１のパルス生成部４１と第２のパルス生成部４２へ送られる。
【００７２】
第１のパルス生成部４１は、ロジックゲートにより構成され、上記Ａ相パルス信号ＳＡとＢ相パルス信号ＳＢとの論理積をとる第１の論理積回路と、Ａ相パルス信号ＳＡとＢ相パルス信号ＳＢを論理反転させた信号との論理積をとる第２の論理積回路と、それら第１，第２の論理積回路の出力信号を上記エッジ検出部３３からの選択信号ＳＳにより選択する切替回路とにより構成されている。本実施形態の場合、第１のパルス生成部４１は、上記エッジ検出部３３からの選択信号が“Ｌ”レベル（“０”）の時には上記第１の論理積回路の出力を切替回路にて選択し、一方、上記選択信号が“Ｈ”レベル（“１”）の時には上記第２の論理積回路の出力を切替回路にて選択する構成となされている。そして、当該第１のパルス生成部４１の切替回路から出力される信号は、第１の連動信号ＳＣ１として端子５１から後段の駆動部１８へ送られることになる。
【００７３】
また、第２のパルス生成部４２は、ロジックゲートにより構成され、上記Ａ相パルス信号ＳＡとＢ相パルス信号ＳＢの論理積をとる第１の論理積回路と、Ａ相パルス信号ＳＡを論理反転させた信号とＢ相パルス信号ＳＢとの論理積をとる第２の論理積回路と、それら第１，第２の論理積回路の出力信号を上記エッジ検出部３３からの選択信号ＳＳにより選択する切替回路とにより構成されている。本実施形態の場合、第２のパルス生成部４２は、上記エッジ検出部３３からの選択信号が“Ｌ”レベル（“０”）の時には上記第２の論理積回路の出力を切替回路にて選択し、一方、上記選択信号が“Ｈ”レベル（“１”）の時には上記第１の論理積回路の出力を切替回路にて選択する構成となされている。そして、当該第２のパルス生成部４１の切替回路から出力される信号は、第２の連動信号ＳＣ２として端子５２から後段の駆動部１８へ送られることになる。
【００７４】
〔第３，第４の実施形態の回転キー正回転時連動信号タイミングチャート〕
図９には、上述した第３，第４の実施形態において、回転キー２が正回転した際の連動信号のタイミングチャートを示す。
【００７５】
本実施形態において、回転キー２が正回転した場合には、先ず始めに上記Ａ相パルス信号ＳＡが立ち上がり、その後Ｂ相パルス信号ＳＢが立ち上がる。なお、図９には図示していないが、上記Ａ相パルス信号ＳＡの立ち上がりエッジが先に検出された場合、エッジ検出部３３の選択信号ＳＳは、“Ｌ”レベル（“０”）となる。また、ここでは図示及びその詳細な説明については省略しているが、本実施形態の携帯電話端末は、このようにＡ相パルス信号ＳＡの立ち上がりがＢ相パルス信号ＳＢの立ち上がりよりも先である場合、回転キー２が正回転したと認識可能となされている。
【００７６】
上述のように、始めに上記Ａ相パルス信号ＳＡが立ち上がり、次いでＢ相パルス信号ＳＢが立ち上がった場合、第１のパルス生成部３１では、前記第１の論理積回路の出力信号が切替回路にて選択されて第１の連動信号ＳＣ１となされ、一方、第２のパルス生成部３２では、前記第２の論理積回路の出力信号が切替回路にて選択されて第２の連動信号ＳＣ２となされる。すなわちこの場合の第１の連動信号ＳＣ１は、上記Ａ相パルス信号ＳＡが立ち上がった後、当該Ａ相パルス信号ＳＡの“Ｈ”レベル（“１”）が続いている状態でＢ相パルス信号ＳＢが立ち上がった時に、それと同時に立ち上がり、その後、Ａ相パルス信号ＳＡが立ち下がった時（Ｂ相パルス信号ＳＢの“Ｈ”レベル（“１”）が続いている状態であっても）に、それと同時に立ち下がるようなパルス信号となる。また、この場合の第２の連動信号ＳＣ２は、上記第１の連動信号ＳＣ１が立ち下がった時（つまりＡ相パルス信号ＳＡが立ち下がった時）に立ち上がり、その後、Ｂ相パルス信号ＳＢが立ち下がると同時に立ち下がるようなパルス信号となる。以降、回転キー２の正回転が続いた場合に上述のようなパルス信号の生成処理が繰り返されることになる。
【００７７】
これにより、図６に示した第３の実施形態の場合には、回転キー２が正回転した際の第１の連動信号ＳＣ１に基づいて第１のＬＥＤ６ａが発光駆動されると共に、第２の連動信号ＳＣ２に基づいて第２のＬＥＤ６ｂが発光駆動されることになる。また、図７に示した第４の実施形態の場合には、回転キー２が正回転した際の第１の連動信号ＳＣ１に基づいて第１の振動素子８ａが振動駆動されると共に、第２の連動信号ＳＣ２に基づいて第２の振動素子８ｂが振動駆動されることになる。
【００７８】
〔第３，第４の実施形態の回転キー逆回転時連動信号タイミングチャート〕
図１０には、上述した第３，第４の実施形態において、回転キー２が逆回転した際の連動信号のタイミングチャートを示す。
【００７９】
本実施形態において、回転キー２が逆回転した場合には、先ず始めに上記Ｂ相パルス信号ＳＢが立ち上がり、その後Ａ相パルス信号ＳＡが立ち上がる。なお、図１０には図示していないが、上記Ｂ相パルス信号ＳＢの立ち上がりエッジが先に検出された場合、エッジ検出部３３の選択信号ＳＳは、“Ｈ”レベル（“１”）となる。また、ここでは図示及びその詳細な説明については省略しているが、本実施形態の携帯電話端末は、このようにＢ相パルス信号ＳＢの立ち上がりがＡ相パルス信号ＳＡの立ち上がりよりも先である場合、回転キー２が逆回転したと認識可能となされている。
【００８０】
上述のように、始めに上記Ｂ相パルス信号ＳＢが立ち上がり、次いでＡ相パルス信号ＳＡが立ち上がった場合、第１のパルス生成部３１では、前記第２の論理積回路の出力信号が切替回路にて選択されて第１の連動信号ＳＣ１となされ、一方、第２のパルス生成部３２では、前記第１の論理積回路の出力信号が切替回路にて選択されて第２の連動信号ＳＣ２となされる。すなわちこの場合の第２の連動信号ＳＣ２は、上記Ｂ相パルス信号ＳＢが立ち上がった後、当該Ｂ相パルス信号ＳＢの“Ｈ”レベル（“１”）が続いている状態でＡ相パルス信号ＳＡが立ち上がった時に、それと同時に立ち上がり、その後、Ｂ相パルス信号ＳＢが立ち下がった時（Ａ相パルス信号ＳＡの“Ｈ”レベル（“１”）が続いている状態であっても）に、それと同時に立ち下がるようなパルス信号となる。また、この場合の第１の連動信号ＳＣ１は、上記第２の連動信号ＳＣ２が立ち下がった時（つまりＢ相パルス信号ＳＢが立ち下がった時）に立ち上がり、その後、Ａ相パルス信号ＳＡが立ち下がると同時に立ち下がるようなパルス信号となる。以降、回転キー２の逆回転が続いた場合に上述のようなパルス信号の生成処理が繰り返されることになる。
【００８１】
これにより、図６に示した第３の実施形態の場合には、回転キー２が逆回転した際の第１の連動信号ＳＣ１に基づいて第１のＬＥＤ６ａが発光駆動されると共に、第２の連動信号ＳＣ２に基づいて第２のＬＥＤ６ｂが発光駆動されることになる。また、図７に示した第４の実施形態の場合には、回転キー２が逆回転した際の第１の連動信号ＳＣ１に基づいて第１の振動素子８ａが振動駆動されると共に、第２の連動信号ＳＣ２に基づいて第２の振動素子８ｂが振動駆動されることになる。
【００８２】
〔第５の実施形態〕
前述の第３，第４の実施形態では、回転キー２の正回転と逆回転の何れであっても二つのＬＥＤ６ａと６ｂ、或いは二つの振動素子８ａと８ｂが、共にタイミングを変えて駆動される例を挙げたが、本発明の第５の実施形態のように、回転キー２が正回転した際には上記二つのＬＥＤ６ａ，６ｂの何れか一方のみを発光させ、逆回転した際には他方のみを発光させたり、或いは、回転キー２が正回転した際には上記二つの振動素子８ａ，８ｂの何れか一方のみを振動させ、逆回転した際には他方のみを振動させるようにしてもよい。
【００８３】
図１１には、回転キー２の正回転，逆回転により、上記二つのＬＥＤ６ａ，６ｂ或いは二つの振動素子８ａ，８ｂの何れかのみを駆動する場合の連動信号生成部１６の構成例を示す。なお、図１１において、図８に示した各構成要素と実質的に同一の機能を有する構成要素には、図８と同じ指示符号を付している。
【００８４】
図１１において、端子３０Ａに供給されたＡ相パルス信号ＳＡは、エッジ検出部３３と第１のパルス生成部４１及び第２のパルス生成分４２へ送られると共に、第１の反転部６１へも供給される。また、端子３０Ｂに供給されたＢ相パルス信号ＳＢは、エッジ検出部３３と第１のパルス生成部４１及び第２のパルス生成分４２へ送られると共に、第２の反転部６２へも供給される。
【００８５】
第１の反転部６１にて上記Ａ相パルス信号ＳＡが反転されたＡ相反転パルス信号ＳＡｒは、第１の二入力アンドゲート７１の一方の入力端へ供給される。また、この第１の二入力アンドゲート７１の他方の入力端には第２のパルス生成部４２からの第２の連動信号ＳＣ２が供給される。これにより、第１の二入力アンドゲート７１では、Ａ相反転パルス信号ＳＡｒと第２の連動信号ＳＣ２との論理積がとられる。そして、本発明の第５の実施形態では、当該第１の二入力アンドゲート７１の出力が、第１の連動信号ＳＣ１１として端子５１から後段の駆動部１８へ送られることになる。
【００８６】
一方、第２の反転部６２にてＢ相パルス信号ＳＢが反転されたＢ相反転パルス信号ＳＢｒは、第２の二入力アンドゲート７２の他方の入力端へ供給される。また、この第２の二入力アンドゲート７２の一方の入力端には第１のパルス生成部４１からの第１の連動信号ＳＣ１が供給される。これにより、第２の二入力アンドゲート７２では、第１の連動信号ＳＣ１とＢ相反転パルス信号ＳＢｒとの論理積がとられる。そして、本発明の第５の実施形態では、当該第２の二入力アンドゲート７２の出力が、第２の連動信号ＳＣ１２として端子５２から後段の駆動部１８へ送られることになる。
【００８７】
〔第５の実施形態の回転キー正回転時連動信号タイミングチャート〕
図１２には、上述した第５の実施形態において、回転キー２が正回転した際の連動信号のタイミングチャートを示す。なお、図１２において、図９に示した各波形と同一の波形には、図９と同じ指示符号を付している。
【００８８】
この第５の実施形態において、Ａ相反転パルス信号ＳＡｒはＡ相パルス信号ＳＡの反転信号となっており、Ｂ相反転パルス信号ＳＢｒはＢ相パルス信号ＳＢの反転信号となっている。
【００８９】
そして、当該第５の実施形態における第１の連動信号ＳＣ１１は、前述の第２の連動信号ＳＣ１と上記Ａ相反転パルス信号ＳＡｒとの論理積をとった信号となされ、第２の連動信号ＳＣ１２は上記Ｂ相反転パルス信号ＳＡｒと前述の第１の連動信号ＳＣ１との論理積をとった信号となされている。すなわち、本発明の第５の実施形態において、回転キー２が正回転した場合、第１の連動信号ＳＣ１１にのみ“Ｈ”レベル（“１”）が表れる連動信号となされる。
【００９０】
したがって、前述の第３の実施形態の構成に当該第５の実施形態を適用した場合、回転キー２が正回転した際には、第１のＬＥＤ６ａのみが発光駆動されることになる。また、前述の第４の実施形態の構成に当該第５の実施形態を適用した場合、回転キー２が正回転した際には、第１の振動素子８ａのみが振動駆動されることになる。
【００９１】
このように、当該第５の実施形態の場合は、回転キー２を正回転させた際には、第１のＬＥＤ６ａのみ若しくは第１の振動素子８ａのみが駆動されるため、ユーザは、回転キー２を正回転させることができていることを知ることになる。
【００９２】
〔第５の実施形態の回転キー逆回転時連動信号タイミングチャート〕
図１３には、上述した第５の実施形態において、回転キー２が逆回転した際の連動信号のタイミングチャートを示す。なお、図１３において、図１０に示した各波形と同一の波形には、図１０と同じ指示符号を付している。
【００９３】
この第５の実施形態によれば、Ａ相反転パルス信号ＳＡｒはＡ相パルス信号ＳＡの反転信号となり、Ｂ相反転パルス信号ＳＢｒはＢ相パルス信号ＳＢの反転信号となっており、第１の連動信号ＳＣ１１は前述の第２の連動信号ＳＣ１と上記Ａ相反転パルス信号ＳＡｒとの論理積をとった信号となされ、第２の連動信号ＳＣ１２は上記Ｂ相反転パルス信号ＳＡｒと前述の第１の連動信号ＳＣ１との論理積をとった信号となされているため、回転キー２が正回転した場合には、第２の連動信号ＳＣ１２にのみ“Ｈ”レベル（“１”）が表れる連動信号となされる。
【００９４】
したがって、前述の第３の実施形態の構成に当該第５の実施形態を適用した場合、回転キー２が逆回転した際には、第２のＬＥＤ６ｂのみが発光駆動されることになる。また、前述の第４の実施形態の構成に当該第５の実施形態を適用した場合、回転キー２が逆回転した際には、第２の振動素子８ｂのみが振動駆動されることになる。
【００９５】
このように、当該第５の実施形態の場合は、回転キー２を逆回転させた際には、第２のＬＥＤ６ｂのみ若しくは第２の振動素子８ｂのみが駆動されるため、ユーザは、回転キー２を逆回転させることができていることを知ることになる。
【００９６】
〔第６の実施形態〕
前述の第３乃至第５の実施形態では、回転キー２の正，逆回転により、ＬＥＤ６ａ，６ｂを点灯／消灯駆動したり、振動素子８ａ，８ｂを振動／非振動駆動する例について説明したが、本発明の第６の実施形態のように、回転キー２を回転させる際の回転速度に応じてＬＥＤ６ａ，６ｂを点灯する際の明るさ（輝度）や色を調整したり、振動素子８ａ，８ｂを振動させる際の振動の強さや振動数を調整すること、つまり能動素子によりユーザに与える刺激の量や性質を調整するようにしてもよい。
【００９７】
図１４には、回転キー２の回転速度に応じて、ＬＥＤ点灯時の明るさ，色や振動素子の振動強度，振動数を調整可能とした駆動部１７，１８の構成例を示す。なお、ＬＥＤを発光駆動する駆動部１７と、振動素子を振動駆動する駆動部１８とは、基本的な構成は同じであるため、図１４ではそれら駆動部１７，１８を区別せずに示している。また、図１４では、前述した第１の連動信号ＳＣ１とＳＣ１２、第２の連動信号ＳＣ２とＳＣ２２についても特に区別せずに示している。
【００９８】
図１４において、端子８１には前段の連動信号生成部１６からの第１の連動信号ＳＣ１又はＳＣ１１が供給され、端子８２には前段の連動信号生成部１６からの第２の連動信号ＳＣ２又はＳＣ１２が供給される。上記端子８１に供給された第１の連動信号ＳＣ１又はＳＣ１１は第１の駆動制御信号調整部９１のパルスカウント部１０１へ送られ、上記端子８２に供給された第２の連動信号ＳＣ２又はＳＣ１２は第２の駆動制御信号調整部９２のパルスカウント部１０２へ送られる。
【００９９】
第１の駆動制御信号調整部９１のパルスカウント部１０１は第１の連動信号ＳＣ１又はＳＣ１１の単位時間当たりのパルス数をカウントし、その単位時間当たりのカウント値を表す信号を駆動制御信号生成部１１１へ送る。同様に、第２の駆動制御信号調整部９２のパルスカウント部１０２は第２の連動信号ＳＣ１又はＳＣ１２の単位時間当たりのパルス数をカウントし、その単位時間当たりのカウント値を表す信号を駆動制御信号生成部１１２へ送る。すなわち本実施形態では、これらパルスカウント部１０１，１０２にて単位時間当たりのパルス数のカウントが行われることで、回転キー２の回転速度の計測がなされている。
【０１００】
第１の駆動制御信号調整部９１の駆動制御信号生成部１１１は、供給された単位時間当たりのパルス数を表す信号に応じたアナログ信号を生成する。同様に、第２の駆動制御信号調整部９２の駆動制御信号生成部１１２は、供給された単位時間当たりのパルス数を表す信号に応じたアナログ信号を生成する。すなわち例えば、上記駆動制御信号生成部１１１，１１２は、単位時間当たりのパルス数が少ない場合には低い値のアナログ信号を生成し、逆に、単位時間当たりのパルス数が多い場合には高い値のアナログ信号を生成する。そして、上記駆動制御信号生成部１１１にて生成されたアナログ信号は第１の駆動信号生成部１２１へ供給され、駆動制御信号生成部１１２にて生成されたアナログ信号は第２の駆動信号生成部１２２へ供給される。
【０１０１】
第１の駆動信号生成部１２１は、供給されたアナログ信号の値に応じた第１の駆動信号ＳＤＬ１又はＳＤＢ１を生成し、その第１の駆動信号ＳＤＬ１又はＳＤＢ１を後段の構成（ＬＥＤ或いは駆動素子）へ供給する。すなわちこの場合、後段の第１のＬＥＤ６ａ若しくは第１の駆動素子８ａを駆動するための駆動電流値が、上記アナログ信号に応じた値に調整されることになる。同様に、第２の駆動信号生成部１２２は、供給されたアナログ信号に応じた第２の駆動信号ＳＤＬ２又はＳＤＢ２を生成し、その第２の駆動信号ＳＤＬ２又はＳＤＢ２を後段の構成（ＬＥＤ或いは駆動素子）へ供給する。すなわちこの場合、後段の第２のＬＥＤ６ｂ若しくは第２の駆動素子８ｂを駆動するための駆動電流値が、上記アナログ信号に応じた値に調整されることになる。
【０１０２】
このように、本発明の第６の実施形態によれば、連動信号の単位時間当たりのパルス数をカウントし、そのカウント数（つまり回転キー２の回転速度）に応じたアナログ信号にてＬＥＤや振動素子を駆動するための駆動電流値を調整することにより、ＬＥＤ６ａ，６ｂを点灯する際の明るさ（輝度）や色を回転キー２の回転速度に応じて調整することが可能となり、また、振動素子８ａ，８ｂを振動させる際の振動強さや振動数を回転キー２の回転速度に応じて調整することが可能となっている。
【０１０３】
〔ＬＥＤ配置の第１の具体例〕
次に、図１５〜図１７には、回転キー２の回転動作に応じて点灯制御されるＬＥＤの携帯電話端末上の配置例を挙げる。
【０１０４】
図１５にはＬＥＤ配置の第１の具体例を示す。この図１５に示す携帯電話端末２００は、いわゆる折り畳み型の端末であり、この例では当該折り畳み型の端末２００を開いた状態を示している。携帯電話端末２００は、開かれた状態の時に、液晶ディスプレイ２０１とキー操作部２０４が使用可能となる。また、キー操作部２０４を備えた筐体側には、ジョグダイヤルも設けられている。
【０１０５】
この図１５に示した携帯電話端末２００は、上記ジョグダイヤルの回転キー２０２の近傍にＬＥＤが内蔵されていると共に、回転キー２０２の周囲を囲むように導光板２０３が設けられている。そして、上記ＬＥＤからの光が、上記導光板２０３を通って筐体面から外部へ出射される構成となされている。
【０１０６】
この図１５の例では、上述のように回転キー２０２の近傍に設けたＬＥＤからの光を導光板２０３を通して外部へ出射する構成となされており、上記ＬＥＤが前述したように回転キー２０２の回転動作に応じて点灯制御される。なお、この例において、回転キー２０２の回転動作に応じた点灯制御としては、前述の第１の実施形態のように回転動作により点灯させる制御や、前述の第６の実施形態のように回転キー２０２の回転速度に応じた明るさや色で点灯させる制御などを行うことができる。
【０１０７】
これにより、図１５の携帯電話端末２００では、ジョグダイヤルの回転キー２０２をユーザが回転操作した時に、そのユーザに対して視覚的で直感的な操作感を与えることができる。
【０１０８】
〔ＬＥＤ配置の第２の具体例〕
図１６には、ＬＥＤ配置の第２の具体例を示す。なお、図１６において、図１５に示した各構成要素と実質的に同一の機能を有する構成要素には、図１５と同じ指示符号を付している。
【０１０９】
この図１６に示した携帯電話端末２００は、上記ジョグダイヤルの回転キー２０２の近傍に複数のＬＥＤが配されている。図１６の例では、回転キー２００の正，逆回転方向に対応した二箇所に二つのＬＥＤ２１１，２１２を配置した例を示している。なお、ＬＥＤ２１１，２１２は筐体内に内蔵し、それらＬＥＤ２１１，２１２からの光を導光部材により外部へ出射する構成にしてもよい。
【０１１０】
この図１６の例では、上述のように回転キー２０２の正，逆回転方向に対応した二箇所に設けたＬＥＤ２１１，２１２からの光を外部へ出射する構成となされており、それらＬＥＤ２１１，２１２が回転キー２０２の回転動作に応じて点灯制御される。なお、この例において、回転キー２０２の回転動作に応じた点灯制御としては、前述の第３の実施形態のように両者を交互に点灯させる制御や、前述の第５の実施形態のように回転キー２０２の回転方向に対応したＬＥＤのみを点灯させる制御や、前述の第６の実施形態のように回転キー２０２の回転速度に応じた明るさや色で点灯させる制御などを行うことができる。
【０１１１】
これにより、図１６の携帯電話端末２００では、ジョグダイヤルの回転キー２０２をユーザが回転操作した時に、ユーザに対して、上記回転動作に合った視覚的且つ直感的な操作感を与えることができる。
【０１１２】
〔ＬＥＤ配置の第３の具体例〕
図１７には、ＬＥＤ配置の第３の具体例を示す。なお、図１７において、図１６に示した各構成要素と実質的に同一の機能を有する構成要素には、図１６と同じ指示符号を付している。
【０１１３】
この図１７に示した携帯電話端末２００は、液晶ディスプレイ２０１が設けられている筐体側に複数のＬＥＤが配されている。図１７の例では、液晶ディスプレイ２０１が設けられた筐体側において、回転キー２００の正，逆回転方向に対応した二箇所に、二つのＬＥＤ２１１，２１２を配置した例を示している。なお、ＬＥＤ２１１，２１２は筐体内に内蔵し、それらＬＥＤ２１１，２１２からの光を導光部材により外部へ出射する構成にしてもよい。
【０１１４】
この図１７の例では、上述のように、液晶ディスプレイ２０１が設けられた筐体側で且つ、回転キー２０２の正，逆回転方向に対応した二箇所に設けたＬＥＤ２１１，２１２からの光を外部へ出射する構成となされており、それらＬＥＤ２１１，２１２が回転キー２０２の回転動作に応じて点灯制御される。なお、この例において、回転キー２０２の回転動作に応じた点灯制御としては、前述の第３の実施形態で説明した点灯制御、前述の第５の実施形態で説明した点灯制御、前述の第６の実施形態で説明した点灯制御などを行うことができる。
【０１１５】
この図１７に示した具体例の携帯電話端末２００によれば、液晶ディスプレイ２０１が設けられた筐体側にＬＥＤを配置しているため、例えばユーザがジョグダイヤルの回転キー２０２等を操作しつつ液晶ディスプレイ２０１上の表示を見ているような場合に、ユーザは、当該表示から目を外さなくても、回転キー２０２の回転動作に合った視覚的且つ直感的な操作感を得ることが可能となる。
【０１１６】
〔振動素子配置の第１の具体例〕
次に、図１８〜図１９には、回転キー２の回転動作に応じて駆動制御される振動素子の携帯電話端末上の配置例を挙げる。
【０１１７】
図１８には振動素子配置の第１の具体例を示す。なお、図１８において、図１５に示した各構成要素と実質的に同一の機能を有する構成要素には、図１５と同じ指示符号を付している。
【０１１８】
この図１８に示した携帯電話端末２００は、ジョグダイヤルの回転キー２０２の近傍に振動素子２０５が内蔵されている。そして、この図１８の例では、回転キー２０２の回転動作に応じて上記振動素子２０５が駆動制御される。なお、この例において、回転キー２０２の回転動作に応じた振動素子２０５の駆動制御としては、前述の第２の実施形態のように回転動作により振動させる制御や、前述の第６の実施形態のように回転キー２０２の回転速度に応じた強さや振動数で振動させる制御などを行うことができる。
【０１１９】
これにより、図１８の携帯電話端末２００では、ジョグダイヤルの回転キー２０２をユーザが回転操作した時に、そのユーザに対して直感的な操作感を与えることができる。
【０１２０】
〔振動素子配置の第２の具体例〕
図１９には、振動素子配置の第２の具体例を示す。なお、図１９において、図１８に示した各構成要素と実質的に同一の機能を有する構成要素には、図１８と同じ指示符号を付している。
【０１２１】
この図１９に示した携帯電話端末２００は、上記ジョグダイヤルの回転キー２０２の近傍に複数の振動素子が内蔵されている。図１９の例では、回転キー２００の正，逆回転方向に対応した二箇所に二つの振動素子２２１，２２２を内蔵配置した例を示している。
【０１２２】
この図１９の例では、上述のように回転キー２０２の正，逆回転方向に対応した二箇所に設けた振動素子２２１，２２２を振動させる構成となされており、それら振動素子２２１，２２２が回転キー２０２の回転動作に応じて駆動制御される。なお、この例において、回転キー２０２の回転動作に応じた駆動制御としては、前述の第４の実施形態のように両者を交互に振動させる制御や、前述の第５の実施形態のように回転キー２０２の回転方向に対応した振動素子のみを振動させる制御や、前述の第６の実施形態のように回転キー２０２の回転速度に応じた強さや振動数で振動させる制御などを行うことができる。
【０１２３】
これにより、図１９の携帯電話端末２００では、ジョグダイヤルの回転キー２０２をユーザが回転操作した時に、ユーザに対して、上記回転動作に合った直感的な操作感を与えることができる。
【０１２４】
〔まとめ〕
以上説明したように、本実施形態の携帯電話端末によれば、複雑な入力操作を迅速且つ容易に行える操作デバイスとして回転キーを備えたジョグダイヤルを用い、回転キーに設けられた磁石と回転キー固定用磁石により、回転キーを回転させた際のクリック感をユーザに与えることができると同時に、回転キー２の回転動作に連動してＬＥＤを点灯させたり振動素子を振動させることにより、ユーザに対して視覚的，直感的な操作感を与え、また、回転キーの操作性を向上させることが可能となっている。また、本実施形態の携帯電話端末によれば、ジョグダイヤルの回転キーの回転動作に応じたホールＩＣの検出信号を、ロジック回路及びその周辺回路素子を通じてＬＥＤの点灯用駆動信号や振動素子の駆動信号に変換しているため、ユーザによる回転キーの回転操作とＬＥＤの点灯や振動素子の振動による操作感との間のタイムラグを略々無くすことが可能になり、ユーザに対して視覚的、体感的、直感的なレスポンス感を与えることが可能になっている。
【０１２５】
なお、上述した実施形態の説明は、本発明の一例である。このため、本発明は上述した実施形態に限定されることなく、本発明に係る技術的思想を逸脱しない範囲であれば、設計等に応じて種々の変更が可能であることはもちろんである。
【０１２６】
本実施形態の携帯情報端末は、携帯電話端末に限定されず、ジョグダイヤルのような操作デバイスを備えたＰＤＡ（Personal Digital Assistant）や、ノート型のパーソナルコンピュータ、携帯型のゲーム機などにも適用可能である。
【図面の簡単な説明】
【０１２７】
【図１】本発明の第１の実施形態の携帯電話端末の主要部の概略構成を示すブロック図である。
【図２】本発明の第２の実施形態の携帯電話端末の主要部の概略構成を示すブロック図である。
【図３】第１，第２の実施形態における制御回路部内の連動信号生成部の概略構成例を示すブロック図である。
【図４】第１，第２の実施形態において回転キーが正回転した際の連動信号のタイミングチャートである。
【図５】第１，第２の実施形態において回転キーが逆回転した際の連動信号のタイミングチャートである。
【図６】本発明の第３の実施形態の携帯電話端末の主要部の概略構成を示すブロック図である。
【図７】本発明の第４の実施形態の携帯電話端末の主要部の概略構成を示すブロック図である。
【図８】第３，第４の実施形態における制御回路部内の連動信号生成部の概略構成例を示すブロック図である。
【図９】第３，第４の実施形態において回転キーが正回転した際の連動信号のタイミングチャートである。
【図１０】第３，第４の実施形態において回転キーが逆回転した際の連動信号のタイミングチャートである。
【図１１】回転キーの正，逆回転により、二つのＬＥＤ或いは二つの振動素子の何れかのみを駆動する場合の連動信号生成部の概略構成例を示すブロック図である。
【図１２】第５の実施形態において回転キーが正回転した際の連動信号のタイミングチャートである。
【図１３】第５の実施形態において回転キーが逆回転した際の連動信号のタイミングチャートである。
【図１４】回転キーの回転速度に応じてＬＥＤ点灯時の明るさ，色制御や振動素子の振動強度，振動数を調整可能とした駆動部の概略構成例を示すブロック図である。
【図１５】携帯電話端末に設けられるＬＥＤ配置の第１の具体例の説明に用いる図である。
【図１６】携帯電話端末に設けられるＬＥＤ配置の第２の具体例の説明に用いる図である。
【図１７】携帯電話端末に設けられるＬＥＤ配置の第３の具体例の説明に用いる図である。
【図１８】携帯電話端末に設けられる振動素子配置の第１の具体例の説明に用いる図である。
【図１９】携帯電話端末に設けられる振動素子配置の第２の具体例の説明に用いる図である。
【符号の説明】
【０１２８】
１  ジョグダイヤル、２，２０２  回転キー  ３Ａ  Ａ相ホールＩＣ、３Ｂ  Ｂ相ホールＩＣ、４  回転キー固定用磁石、５  制御回路部、６，２１１，２１２  ＬＥＤ、６ａ  第１のＬＥＤ、６ｂ  第２のＬＥＤ、７  ＬＥＤ点灯用電源、８，２０５，２２１，２２２  振動素子、８ａ  第１の振動素子、８ｂ  第２の振動素子、９  振動素子用電源、１１Ａ  Ａ相信号入力部、１１Ｂ  Ｂ相信号入力部、１３，１６  連動信号生成部、１４，１５，１７，１８  駆動部、３１  パルス生成部、３３  エッジ検出部、４１  第１のパルス生成部、４２  第２のパルス生成部、６１  第１の反転部、６２  第２の反転部、７１  第１の二入力アンドゲート、７２  第２の二入力アンドゲート、９１  第１の駆動制御信号調整部、９２  第２の駆動制御信号調整部、１０１，１０２  パルスカウント部、１１１，１１２  駆動制御信号生成部、１２１  第１の駆動信号生成部、１２２  第２の駆動信号生成部、２００  携帯電話端末、２０１  液晶ディスプレイ、２０３  導光板  ２０４  キー操作部
【図１】
2008287650.tif 000003
【図２】
2008287650.tif 000004
【図３】
2008287650.tif 000005
【図４】
2008287650.tif 000006
【図５】
2008287650.tif 000007
【図６】
2008287650.tif 000008
【図７】
2008287650.tif 000009
【図８】
2008287650.tif 000010
【図９】
2008287650.tif 000011
【図１０】
2008287650.tif 000012
【図１１】
2008287650.tif 000013
【図１２】
2008287650.tif 000014
【図１３】
2008287650.tif 000015
【図１４】
2008287650.tif 000016
【図１５】
2008287650.tif 000017
【図１６】
2008287650.tif 000018
【図１７】
2008287650.tif 000019
【図１８】
2008287650.tif 000020
【図１９】
2008287650.tif 000021